(57)【要約】【課題】閉塞部を押し込み過ぎることなく且つ耐電圧性能の低下を防止又は抑制することができるセラミックス部材を提供する。【解決手段】セラミックス部材からなる静電チャック１は、凹部４が形成された基材２と、凹部４の底４ａに配置された電極３と、凹部４の底４ａに電極３が配置された状態で、凹部４に挿入されて凹部４を閉塞する閉塞部６と、凹部４と閉塞部６とを接合する接合部７と、を備える。凹部４には、電極３の周囲に位置させて凹部４の深さ方向において閉塞部６の周縁と少なくとも一部が重なる段部５が設けられている。【選択図】図２
2018113422.tif 000002
【特許請求の範囲】
【請求項１】
凹部が形成された基材と、
前記凹部の底に配置された電極と、
前記凹部の底に前記電極が配置された状態で、前記凹部に挿入されて前記凹部を閉塞する閉塞部と、
前記凹部と前記閉塞部とを接合する接合部と、
を備えるセラミックス部材であって、
前記凹部には、前記電極の周囲に位置させて前記凹部の深さ方向において前記閉塞部の周縁と少なくとも一部が重なる段部が設けられていることを特徴とするセラミックス部材。
【請求項２】
請求項１に記載のセラミックス部材であって、
前記凹部の周面と前記段部の前記凹部の開口側の面とは、曲面又は前記凹部の周面及び前記段部の前記凹部の開口側の面との間で鈍角をなす平面で接続されていることを特徴とするセラミックス部材。
【請求項３】
請求項１又は請求項２に記載のセラミックス部材であって、
前記閉塞部の前記電極側の端部の外周縁は曲面又は前記外周縁に隣接する閉塞部の面との間で鈍角をなす平面であることを特徴とするセラミックス部材。
【請求項４】
請求項１から請求項３の何れか１項に記載のセラミックス部材であって、
前記閉塞部の前記電極との対向面と前記電極との間に隙間が形成されていることを特徴とするセラミックス部材。
【発明の詳細な説明】
【技術分野】
【０００１】
本発明は、電極が埋設されたセラミックス部材に関する。
【背景技術】
【０００２】
従来、凹部が形成された基材と、凹部の底に配置された電極と、凹部の底に電極が配置された状態で、凹部に挿入されて凹部を閉塞する閉塞部と、凹部と閉塞部とを接着剤などで接合する接合部とを備えるセラミックス部材が知られている（例えば、特許文献１参照）。
【先行技術文献】
【特許文献】
【０００３】
【特許文献１】特許第４４１９５７９号公報
【発明の概要】
【発明が解決しようとする課題】
【０００４】
従来のセラミックス部材、特にセラミックス製の静電チャックでは、閉塞部を基材に設けられた凹部に押し込み過ぎると、電極を介して凹部の底を形成する基材の部分に過度な応力が作用することで基材が損傷し十分な絶縁性を保てなくなる虞がある。逆に、閉塞部の凹部への押し込みが不十分だと、閉塞部を凹部内で固定するための接着剤で構成される接合部が閉塞部と電極又は凹部の周面との間に十分に入り込めずに、空洞部（巣）ができてセラミックス部材の耐電圧性能が低下する虞がある。
【０００５】
本発明は、以上の点に鑑み、閉塞部を押し込み過ぎることなく且つ耐電圧性能の低下を防止又は抑制することができるセラミックス部材を提供することを目的とする。
【課題を解決するための手段】
【０００６】
［１］上記目的を達成するため、本発明は、
凹部が形成された基材と、
前記凹部の底に配置された電極と、
前記凹部の底に前記電極が配置された状態で、前記凹部に挿入されて前記凹部を閉塞する閉塞部と、
前記凹部と前記閉塞部とを接合する接合部と、
を備えるセラミックス部材であって、
前記凹部には、前記電極の周囲に位置させて前記凹部の深さ方向において前記閉塞部の周縁と少なくとも一部が重なる段部が設けられていることを特徴とする。
【０００７】
本発明によれば、凹部の閉塞部の周縁と重なる位置に段部が設けられているため、凹部に押し込められた閉塞部を段部で受けることもできる。従って、段部で閉塞部の過度な押し込みを規制することができ、セラミックス部材の耐電圧性能の低下を防止又は抑制することができる。
【０００８】
即ち、閉塞部を受ける段部が凹部に設けられることによって、閉塞部を凹部に押し込む際に、電極を過度に押し込むことなく閉塞部によって凹部に設けられている接着剤に十分な圧力を加えることができる。その結果、電極から凹部の外側にまで達する空洞部が形成されることが抑制され、セラミックス部材の絶縁性を高めることができる。
【０００９】
［２］また、本発明においては、前記凹部の周面と前記段部の前記凹部の開口側の面とが、曲面又は前記凹部の周面及び前記段部の前記凹部の開口側の面との間で鈍角をなす平面で接続されていることが好ましい。かかる構成によれば、凹部の周面と段部の凹部の開口側の面とが接続される角部での流動抵抗を低減して、凹部と閉塞部とを接合する接着剤の凹部の外への流れをスムーズにすることができ、閉塞部の凹部への組み付けを容易とすることができる。なお、凹部の周面に直交する凹部の深さ方向に沿った断面において、曲面の曲率半径は０．２ｍｍ以上が好ましく、平面の長さは０．２ｍｍ以上が好ましい。
【００１０】
［３］また、本発明においては、前記閉塞部の前記電極側の端部の外周縁が曲面又は前記外周縁に隣接する閉塞部の面との間で鈍角をなす平面であることが好ましい。かかる構成によれば、閉塞部の外周縁に対向している凹部の周面と段部の凹部の開口側の面とが接続される角部の位置での流動抵抗を低減して接着剤の凹部の外への流れをスムーズにすることができ、閉塞部の凹部への組み付けを容易とすることができる。
【００１１】
［４］また、本発明においては、閉塞部の電極との対向面と電極との間に隙間が形成されていることが好ましい。かかる構成によれば、閉塞部の過度な押し込みによる凹部の底を形成する基材の部分の損傷を確実に防止することができる。なお、隙間は凹部と閉塞部とを接合する接合部で満たされていてもよい。
【図面の簡単な説明】
【００１２】
【図１】本発明のセラミックス部材の第１実施形態を示す説明図。
【図２】第１実施形態のセラミックス部材を図１のＩＩ−ＩＩ線で切断して示す断面図。
【図３】第１実施形態のセラミックス部材を分解して示す断面図。
【図４】第１実施形態のセラミックス部材を一部拡大して示す断面図。
【図５】本発明のセラミックス部材の第２実施形態を示す断面図。
【図６】本発明のセラミックス部材の第３実施形態を示す断面図。
【図７】本発明のセラミックス部材の第４実施形態を示す断面図。
【発明を実施するための形態】
【００１３】
［第１実施形態］
図１から図３を参照して、本発明のセラミックス部材の第１実施形態を説明する。第１実施形態のセラミックス部材は、シリコンウェハなど半導性基板を静電吸着する静電チャック１として用いられている。図１を参照して、静電チャック１は、円盤状電気絶縁性セラミック焼結体からなる基材２と、半月形状の一対の電極３，３（半月状双極電極）と、を備える。電極３は、印刷により設置してもよく、又はモリブデン箔（例えば、厚さ０．３ｍｍ）等の導電性の箔や導電性の薄板を設置してもよい。基材２は、純度９９．５％の酸化アルミニウム（Ａｌ２Ｏ３）焼結体で構成されている。
【００１４】
図２は、図１の静電チャック１を、ＩＩ−ＩＩ線で切断した断面を示す説明図である。図３は、図２の静電チャック１を分解した状態で示す説明図である。基材２は、図２及び図３の下方に位置する面である表面２ａと、図２及び図３の上方に位置する面である裏面２ｂとを備える。裏面２ｂには、表面２ａに向かって凹んだ半月形状の凹部４が互いに間隔を存して一対形成されている。基材２は直径３００ｍｍ、厚さ２ｍｍであり、凹部は深さ１．７ｍｍに設定されている。
【００１５】
凹部４の底４ａには、電極３が配置される。一対の電極３の間の距離は６ｍｍに設定されている。また、凹部４には、底４ａに配置された電極３の周囲に位置させて電極３の周縁を囲うように上方へ突出した半月形状の段部５が設けられている。段部５は幅２．５ｍｍ、凹部４の底４ａから高さ０．３ｍｍに設定されている。
【００１６】
また、各凹部４には、底４ａに電極３を配置した状態で、凹部４を閉塞する半月形状の閉塞部６が嵌め込まれている。閉塞部６は、純度９９．５％の酸化アルミニウム（Ａｌ２Ｏ３）焼結体で構成されており、凹部４に接着剤（電気絶縁性シリコーン接着剤）を充填した状態で凹部４に嵌め込まれることにより凹部４に固定される。凹部４内の接着剤はその後に固化して接合部７（固体の接着剤）となる。段部５の高さは、電極３の外面３ａと同一又は外面３ａよりも若干低くなるように設定されている。従って、閉塞部６の電極３と対向する対向面６ｂは、電極３の外面３ａと接触している。
【００１７】
図４は、段部５を拡大して示す断面図である。図４に示すように、凹部４の周面４ｂと段部５の凹部４の開口側の面（図２〜図４の上方側の面）である係止面５ａとは、第１曲面８で接続されている。なお、図７の本発明の第４実施形態として示すように、周面４ｂと係止面５ａとは、周面４ｂ及び係止面５ａとの間で鈍角をなす平面（第１平面１１）で接続されていてもよい。
【００１８】
また、閉塞部６の電極３側の端部の外周縁は第２曲面９である。なお、図７の本発明の第４実施形態として示すように、閉塞部６の電極３側の端部の外周縁は、外周縁に隣接する閉塞部６の面６ｂ、６ｄとの間で鈍角をなす平面（第２平面１２）であってもよい。
【００１９】
この第１曲面８と第２曲面９とにより、凹部４の周面４ｂと段部５の係止面５ａとが接続される角部での接着剤の流動抵抗を低減して、接着剤の凹部４の外への流れをスムーズにすることができ、閉塞部６の凹部４への組み付けを容易とすることができる。
【００２０】
閉塞部６には、凹部４の底４ａに配置された電極３と接続される端子１０を挿通させる端子用孔６ａが設けられている。
【００２１】
本発明のセラミックス部材が適用された第１実施形態の静電チャック１によれば、凹部４に凹部４の深さ方向において閉塞部６の周縁と重なる段部５が設けられているため、凹部４に押し込められた閉塞部６を段部５で受けることもできる。従って、段部５で閉塞部６による電極３の押し潰しを規制することができ、電極３が押し潰されることを防止又は抑制して、セラミックス部材としての静電チャック１の耐電圧性能の低下を防止又は抑制することができる。
【００２２】
なお、第１実施形態においては、接着剤として、有機接着剤の電気絶縁性シリコーン接着剤を用いて説明した。しかしながら、本発明の接合部としての接着剤はこれに限らず、例えば、電気絶縁性のガラス接合材や、Ａｌ２Ｏ３−ＳｉＯ２系等のセラミック接着剤を用いてもよい。
【００２３】
また、電極は、半月形状に限らず、他の形状（パターン）であってもよく、例えば、櫛歯形状であってもよい。この場合、電極間距離を３ｍｍ以上に設定すればよい。
【００２４】
［第２実施形態］
図５は、本発明のセラミックス部材を適用した第２実施形態の静電チャック１を示している。第２実施形態の静電チャック１は、閉塞部６の電極３と対向する対向面６ｂと電極３の外面３ａの間に隙間Ａが形成されている。隙間Ａには接着剤が入り込んで固化し接合部７（固体の接着剤）が形成される。段部５は例えば幅２．５ｍｍ、凹部４の底４ａから高さ１ｍｍに設定されている。他の構成は、第１実施形態と同一に構成されている。
【００２５】
第２実施形態の静電チャック１によっても、段部５で閉塞部６による電極３の押し潰しを規制することができ、電極３が過度に押し込まれることを防止又は抑制して、セラミックス部材としての静電チャック１の耐電圧性能の低下を防止又は抑制することができる。
【００２６】
また、隙間Ａにおいて、接着剤が閉塞部６によって強く押さえ付けられて接着剤が密となるため、接着剤が存在しない接着剤の空洞部（巣）が出来難く、絶縁性の低下を防止又は抑制することができる。
【００２７】
なお、第２実施形態の静電チャック１においては、閉塞部６の対向面６ｂに電極３に向かって突出する凸部を形成して隙間Ａを小さくしたり、又は隙間Ａを無くして電極３と閉塞部６の突部とが接触するように構成してもよい。
【００２８】
また、第２実施形態においても、第１実施形態と同様に、接着剤として、有機接着剤の電気絶縁性シリコーン接着剤を用いて説明した。しかしながら、本発明の接合部としての接着剤はこれに限らず、例えば、電気絶縁性のガラス接合材や、Ａｌ２Ｏ３−ＳｉＯ２系等のセラミック接着剤を用いてもよい。
【００２９】
また、電極は、半月形状に限らず、他の形状（パターン）であってもよく、例えば、櫛歯形状であってもよい。この場合、電極間距離を３ｍｍ以上に設定すればよい。
【００３０】
［第３実施形態］
図６は、本発明のセラミックス部材の第３実施形態を示している。第３実施形態の静電チャック１では、閉塞部６の対向面６ｂに図６の上方に向かって陥没する陥没部６ｃが設けられている。また、電極３の外面３ａは、段部５の係止面５ａよりも上方に位置している。また、第２実施形態と同様に、閉塞部６の電極３との対向面６ｂ、換言すれば、陥没部６ｃの底と、電極３の外面３ａとの間に接合部７（固体の接着剤）で満たされた隙間Ａが形成されている。
【００３１】
第３実施形態の静電チャック１によっても、段部５と陥没部６ｃとで閉塞部６による電極３の押し潰しを規制することができ、電極３が過度に押し込まれることを防止又は抑制して、セラミックス部材としての静電チャック１の耐電圧性能の低下を防止又は抑制することができる。
【００３２】
なお、第３実施形態においても隙間Ａは無くてもよい。
【００３３】
また、第３実施形態においても、第１実施形態と同様に、接着剤として、有機接着剤の電気絶縁性シリコーン接着剤を用いて説明した。しかしながら、本発明の接合部としての接着剤はこれに限らず、例えば、電気絶縁性のガラス接合材や、Ａｌ２Ｏ３−ＳｉＯ２系等のセラミック接着剤を用いてもよい。
【００３４】
また、電極は、半月形状に限らず、他の形状（パターン）であってもよく、例えば、櫛歯形状であってもよい。この場合、電極間距離を３ｍｍ以上に設定すればよい。
【符号の説明】
【００３５】
１  静電チャック
２  基材
２ａ  表面
２ｂ  裏面
３  電極
３ａ  外面
４  凹部
４ａ  底
４ｂ  周面
５  段部
５ａ  係止面
６  閉塞部
６ａ  端子用孔
６ｂ  対向面
６ｃ  陥没部
６ｄ  外周面
７  接合部
８  第１曲面
９  第２曲面
１０  端子
１１  第１平面
１２  第２平面
Ａ  隙間
【図１】
2018113422.tif 000003
【図２】
2018113422.tif 000004
【図３】
2018113422.tif 000005
【図４】
2018113422.tif 000006
【図５】
2018113422.tif 000007
【図６】
2018113422.tif 000008
【図７】
2018113422.tif 000009